(57)【要約】【課題】誰でも簡単に開封片を切り取って、取出口をきれいに開封できるようにしたティッシュペーパー収納箱を提供する。【解決手段】箱本体１の上面板１ａに設けた開封片４を切り取ることにより取出口が形成され、この取出口に貼着されたフィルムシートのスリット孔からティッシュペーパーを順次引き出すようにしたティッシュペーパー収納箱であって、前記開封片４の端部４ａは箱本体１の端縁まで延長形成する。開封片４は、箱本体１の中央部領域では通常のミシン目５ａによる切取線が形成され、端部領域では前記ミシン目より各切断部の長さが長いミシン目５ｂによる切取線がそれぞれ形成された切取線５により囲まれて形成される。箱本体１の端縁の中央部に凹部６を設け、この凹部６内に前記開封片４の端部４ａを位置させると共にほぼ水平状態に突出させる。前記凹部６は、箱本体１の端縁を挟んでほぼループ状に形成された罫線６ａ、６ｂにより囲まれた領域に形成される。【選択図】図１
2008195412.tif 000002
【特許請求の範囲】
【請求項１】
紙製の箱本体の内部にティッシュペーパーが重層状態に収納され、各ティッシュペーパーは端部同士が折り返しにより係合され、前記箱本体の上面に設けた開封片を切取線に沿って切り取ることにより取出口が形成され、この取出口に貼着されているフィルムシートのスリット孔からティッシュペーパーを順次引き出すようにしたティッシュペーパー収納箱であって、前記開封片の端部は箱本体の端縁部まで延長して形成されたことを特徴とするティッシュペーパー収納箱。
【請求項２】
前記開封片の端部は、中央部領域における幅よりも狭幅に形成されたことを特徴とする請求項１に記載のティッシュペーパー収納箱。
【請求項３】
前記開封片は、箱本体の上面の対向端縁に沿ってほぼ並行する２本の波形切取線によって挟まれ、この２本の波形切取線の間隔における最大値／最小値が１．３〜２．７に形成されたことを特徴とする請求項１又は請求項２に記載のティッシュペーパー収納箱。
【請求項４】
前記開封片は、箱本体の上面の中央部領域に２本の波形切取線の最大間隔が位置し、端部領域に２本の波形切取線の最小間隔がそれぞれ位置するように形成されたことを特徴とする請求項１ないし請求項３何れかに記載のティッシュペーパー収納箱。
【請求項５】
前記箱本体の端縁の一部に凹部を設け、この凹部の領域内に前記開封片の端部が位置するように形成されたことを特徴とする請求項１ないし請求項４何れかに記載のティッシュペーパー収納箱。
【請求項６】
前記開封片の端部は、凹部の領域内に突出していることを特徴とする請求項５に記載のティッシュペーパー収納箱。
【請求項７】
前記凹部は、箱本体の端縁を挟んでほぼループ状の罫線により囲まれて形成されたことを特徴とする請求項５又は請求項６に記載のティッシュペーパー収納箱。
【発明の詳細な説明】
【技術分野】
【０００１】
本発明は、ティッシュペーパー収納箱の改良に係るもので、開封片を簡単に切り取って、取出口をきれいに開封できるようにしたティッシュペーパー収納箱に関する。
【背景技術】
【０００２】
従来のティッシュペーパー収納箱は、例えば図７（ａ）、（ｂ）に示すように直方体又は立方体状に形成された紙製の収納箱Ａ内に、図示を省略したティッシュペーパーが重層状態で収納され、各ティッシュペーパーは端部同士が折り返しにより係合されている。開封時には収納箱Ａの上面に設けられている開封片Ｂを、ミシン目で形成された切取線Ｃに沿って切り取ることで取出口Ｄを形成するようにした構成のものが多い。そして、取出口Ｄには、通常フィルムシートＥが貼着されており、このフィルムシートＥに設けられたスリット孔Ｆからティッシュペーパーを順次引き出す。又、図７（ａ）のように開封片Ｂの端部近傍には指挿入部Ｇが設けられ、開封する際に指を突っ込んで引っ掛けることにより開封片Ｂを容易に切り取れるようにしてある。
【０００３】
更に、収納箱の取出口にフィルムシートを貼着しないタイプのティッシュペーパー収納箱も従来知られており、例えば特許文献１に記載のものでは、ティッシュペーパー収納箱の上面に取出口手段が形成され、この取出口手段は収納箱上面の中央部に長手方向に沿って略平行に設けられた二重ミシン目からなる引裂部と、当該二重ミシン目の両側にそれぞれ互いに乖離するように延びる切線と、当該切線間に跨設された略U字状切線と、二重ミシン目の両端を繋ぐ折罫とからなる指先挿入部で構成されている。そして、何れか一方の指先挿入部に指を挿入して、切線と折罫で囲まれた領域を手指で摘んで二重ミシン目に沿って引き裂き、二重ミシン目と切線とで囲まれる領域を開封片として切り取ることにより取出口を形成する。尚、指先挿入部は二重ミシン目に対して対称に形成されている。
【０００４】
又、特許文献２に記載のものでは、ティッシュペーパー（家庭用薄葉紙）収納箱における上面の蓋部が破断用切目線に沿って切り取り可能に形成されている。そして、切目線は収納箱の短手方向で互いに対向し、蓋部の短手方向の両端を区画する第一の切目線部分と、収納箱の長手方向で互いに対向し、蓋部の長手方向の両端を区画する第二の切目線部分とから構成されている。第一の切目線部分は長手方向の中央が対向相手の第一の切目線部分に向けて円弧状に張り出すように形成され、第一の切目線部分同士の短手方向の最小隙間の幅は５ｍｍ以上であり、蓋部を切り取って形成される切取口の縁がループ状に連続している。
【特許文献１】特開２００５−８２１７５
【特許文献２】特開２００６−１８２４５３
【発明の開示】
【発明が解決しようとする課題】
【０００５】
従来のティッシュペーパー収納箱においては、収納箱の上面に設けられている開封片を切り取ることで取出口を開封するタイプのものが一般的である。開封片の切取線は通常ミシン目により形成されているため、当該ミシン目に沿って開封片を比較的容易に切り取れるようにしてあるが、開封時において予めミシン目に沿って爪を立てて切取線を破断し易くする手間が面倒であり、又ミシン目に沿って切断するにも拘わらず開封片が途中で千切れたり、或は切取線から外れた部分を切り裂いたりして、取出口をきれいに開封できないことがある。
【０００６】
更に、前記のように開封片の端部に指挿入部を設けたものにあっても、開封時に開封片が途中で千切れたり、切取線から逸脱して切り裂いてしまうことがあった。
【０００７】
本発明は、上記のような従来技術におけるティッシュペーパー収納箱の問題点を解消するためになされ、開封時において、誰でも簡単に開封片を切り取って取出口をきれいに開封できるようにしたティッシュペーパー収納箱を提供することを目的とする。
【課題を解決するための手段】
【０００８】
上記の課題を解決するための手段として、本発明の請求項１は、紙製の箱本体の内部にティッシュペーパーが重層状態に収納され、各ティッシュペーパーは端部同士が折り返しにより係合され、前記箱本体の上面に設けた開封片を切取線に沿って切り取ることにより取出口が形成され、この取出口に貼着されているフィルムシートのスリット孔からティッシュペーパーを順次引き出すようにしたティッシュペーパー収納箱であって、前記開封片の端部は箱本体の端縁部まで延長して形成されたことを特徴とする。
【０００９】
本発明の請求項２は、請求項１のティッシュペーパー収納箱において、前記開封片の端部は、中央部領域における幅よりも狭幅に形成されたことを特徴とする。
【００１０】
本発明の請求項３は、請求項１又は請求項２のティッシュペーパー収納箱において、前記開封片は、箱本体の上面の対向端縁に沿ってほぼ並行する２本の波形切取線によって挟まれ、この２本の波形切取線の間隔における最大値／最小値が１．３〜２．７に形成されたことを特徴とする。
【００１１】
本発明の請求項４は、請求項１ないし請求項３何れかのティッシュペーパー収納箱において、前記開封片は、箱本体の上面の中央部領域に２本の波形切取線の最大間隔が位置し、端部領域に２本の波形切取線の最小間隔がそれぞれ位置するように形成されたことを特徴とする。
【００１２】
本発明の請求項５は、請求項１ないし請求項４何れかのティッシュペーパー収納箱において、前記箱本体の端縁の一部に凹部を設け、この凹部の領域内に前記開封片の端部が位置するように形成されたことを特徴とする。
【００１３】
本発明の請求項６は、請求項５のティッシュペーパー収納箱において、前記開封片の端部は、凹部の領域内に突出していることを特徴とする。
【００１４】
本発明の請求項７は、請求項５又は請求項６のティッシュペーパー収納箱において、前記凹部は、箱本体の端縁を挟んでほぼループ状の罫線により囲まれて形成されたことを特徴とする。
【発明の効果】
【００１５】
上記請求項１の発明によれば、ティッシュペーパー収納箱の上面に設けられた開封片の端部は、箱本体の端縁部まで延長して形成されているので、従来品に比べると開封片の端部を容易に掴むことができる。これにより、開封片の端部に指挿入部を設ける必要がなくなり、開封する際に指を突っ込んで引っ掛けて開封片を切り取る動作を廃止することができる。このため、開封片が途中で千切れたり、切取線から逸脱した部分で切り裂くといった事態を抑えることが可能となり、取出口をきれいに開封することができる。
【００１６】
請求項２の発明によれば、開封片の端部が中央部領域よりも狭幅に形成されているので、この開封片の端部を掴んで切り取る際に力の分散を防止することができる。これにより、開封片の端部を容易に切り取ることが可能となり、しかも開封片の千切れや切断線からの逸脱を抑えることができ、取出口をきれいに開封することができる。
【００１７】
請求項３の発明によれば、前記開封片は、箱本体の上面の対向端縁に沿ってほぼ並行する２本の波形切取線によって挟まれ、この２本の波形切取線の間隔における最大値／最小値が１．３〜２．７に形成されているので、開封後に取出口におけるフィルムシートのスリット孔から、破れが生じることなくティッシュペーパーを順次引き出すことができる。
【００１８】
請求項４の発明によれば、前記開封片は、箱本体の上面の中央部領域に２本の波形切取線の最大間隔が位置し、端部領域に２本の波形切取線の最小間隔がそれぞれ位置するように形成されたので、中央部領域よりも両端部領域においてフィルムシートを介してティッシュペーパーに作用する力が大きくなる。これにより、ティッシュペーパーの引き出しを順次円滑に行えると共に、次に使用すべきティッシュペーパーをスリット孔からほぼ半分露出した状態で確実に保持することができる。
【００１９】
請求項５の発明によれば、前記箱本体の端縁の一部に凹部を設け、この凹部の領域内に開封片の端部が位置するように形成されたので、この凹部の凹みにより開封片の端部を一層掴み易くすることができる。
【００２０】
請求項６の発明によれば、前記開封片の端部は、凹部の領域内に突出しているので、開封時に指で直ちに掴むことができる。これにより、老人や子供等であっても簡単に開封片の端部を掴んで開封することができる。この場合、開封片の両端部を共に突出させておけば、開封片はどちらの端部から切り取っても良くなり、右利き左利きの区別なく誰でも容易に開封することができる。
【００２１】
請求項７の発明によれば、前記凹部は、箱本体の端縁を挟んでほぼループ状の罫線により囲まれて形成されているので、箱本体の組立前の型取りシートに対して罫線の加工が簡単にできると共に、箱本体の組立段階でループ状の罫線によって凹部が自動的に凹んで形成されるため、特別の組立工程を必要としない。
【発明を実施するための最良の形態】
【００２２】
次に、本発明に係るティッシュペーパー収納箱の実施形態を添付図面に基づいて詳しく説明する。図１は、本発明に係るティッシュペーパー収納箱の実施形態を示す開封前の斜視図、図２は本発明に係るティッシュペーパー収納箱の実施形態を示す組立前の展開平面図である。
【００２３】
図１において、１は直方体状に組み立てられた紙製の箱本体であり、内部にはティッシュペーパー２（図６）が重層状態に収納され、各ティッシュペーパー２は端部同士が折り返しにより係合されており、開封後には取出口３におけるフィルムシート７のスリット孔７ａから順次引き出せるようにしてある。
【００２４】
この箱本体１は、上面に開封片４が切取線５を介して形成され、短辺側での端縁の中央部には凹部６が対設され、この凹部６の領域内に開封片４の端部４ａがそれぞれ位置している。開封片４は、箱本体１の長辺側の対向端縁に沿ってほぼ並行する２本の波形切取線を端部４ａでそれぞれ連結させた一連の切取線５により囲まれて形成されており、端部４ａは中央部領域における幅よりも狭幅に形成されている。又、切取線５はミシン目により形成されているが、当該切取線５のミシン目は一様ではなく、箱本体１の上面板１ａの中央部領域では各切断部の長さが通常のミシン目５ａにより形成され、端部領域では、各切断部の長さが通常のミシン目よりも長いミシン目５ｂ（例えば７〜８ｍｍ）によりそれぞれ形成されている。このような一連の切取線５は、図２に示す型取りシートを形成する時にミシン目５ａ、５ｂを加工することにより形成することができる。尚、中央部領域のミシン目５ａ及び端部領域のミシン目５ｂは、何れも二重ミシン目に形成すると好ましい。
【００２５】
前記凹部６は、箱本体１の短辺側の端縁を挟んで上面板１ａ側に設けた略円弧状の罫線６ａと、端面板１ｂ側に設けた略円弧状の罫線６ｂとによりほぼループ状に囲まれた領域に形成されている。上面板１ａ側に設けた罫線６ａは、前記開封片４の端部４ａと交差することにより分断されている。このような罫線６ａ、６ｂは、図２に示す型取りシートを形成する時に、押罫手段（図略）によって容易に加工することができる。
【００２６】
図２において、箱本体１を構成する型取りシートを説明すると、前記上面板１ａの両側にはそれぞれ側面板１ｃが連設され、その側面板１ｃの両端部にはそれぞれ内フラップ１ｄが連設されている。又、内方の側面板１ｃの横には底面板１ｅが連設され、この底面板１ｅの横には糊付板１ｈが連設されている。底面板１ｅの両端部にはそれぞれ外フラップ１ｆが連設され、当該外フラップ１ｆには、箱本体１の解体時に指を挿入するためのほぼ半円形の指押し部１ｇがミシン目を介してそれぞれ形成されている。更に、前記フィルムシート７が、開封片４の位置に対応させて型取りシートの内面側（裏面側）に貼着されている。
【００２７】
このように構成された箱本体１は、型取りシートが組立手段（図略）によって直方体状の収納箱に組み立てられると共に、重層状態にセットされたティッシュペーパーが内部に収納される。この収納箱の組立時において、前記ループ状の罫線６ａ、６ｂによって上面板１ａの端縁の中央部が自動的に凹んで凹部６が形成されるので、これらの凹部６を形成するための特別の組立作業を必要としない。又、凹部６の形成時に当該凹部６ａから開封片４の端部４ａの先端縁が離れるように、凹部６内に位置している端部４ａの先端輪郭線は、図３に示すようにミシン目ではなく連続する切込線にしておくことが好ましい。これにより、開封片４の端部４ａの先端縁と凹部６との間には図４に示すように僅かな隙間Ｓが生じて、端部４ａの先端縁は凹部６内にほぼ水平状態で突出することになる（図１参照）。
【００２８】
本発明に係るティッシュペーパー収納箱は、上記のように開封片４の端部４ａが箱本体１の端縁まで延長形成されているので、開封片４の端部４ａを容易に掴むことができる。従来のティッシュペーパー収納箱では、例えば図７（ａ）のように開封片Ｂが箱本体Ａの上面の中央部領域に設けられているため開封片Ｂの端部を容易に掴むことはできない。このため、前記のように開封片Ｂの端部に設けられた指挿入部Ｇに、指を突っ込んで引っ掛けることにより開封片Ｂの端部掴むようにしていた。
【００２９】
本発明では、このような指挿入部を開封片４に設ける必要がなく、開封時に指挿入部に指を突っ込んで引っ掛けることにより開封片４を切り取る動作を廃止することができる。このため、開封片４が途中で千切れたり、切取線５から逸脱した部分で切り裂くといった事態を抑えることが可能となり、取出口３をきれいに開封することができる（図５参照）。
【００３０】
又、前記のように箱本体１の上面板１ａの端縁の中央部に凹部６を設け、この凹部６の領域内に開封片４の端部４ａが位置するように形成し、しかも開封片４の端部４ａの先端縁は凹部６内にほぼ水平状態に突出しているので、開封時にその端部４ａを容易に掴むことができる。これにより、老人や子供等であっても端部４ａを掴んで開封片４を簡単に開封することができる。この場合、図１のように開封片４の端部４ａを両方共突出させておけば、開封片４はどちらの端部から切り取っても良くなり、右利き左利きの区別なく誰でも容易に開封することができる。
【００３１】
これに加えて、前記のように開封片４の端部４ａは中央部領域よりも狭幅に形成されているので、端部４ａを掴んで開封片４を切り取る際に力が分散するのを防止することができる。これにより、開封片４の端部４ａを容易に切り取ることが可能となり、開封片４の千切れや切断線５からの逸脱を抑えることができ、取出口３をきれいに開封することができる。
【００３２】
更に、開封片４は箱本体１の上面板１ａの中央部領域では通常のミシン目５ａによる切取線が形成され、端部領域では中央部領域のミシン目より各切断部の長さが長いミシン目５ｂによる切取線がそれぞれ形成されているので、開封片４の端部領域は中央部領域に比して切断し易くなっている。これにより、開封時には、開封片４の端部４ａを掴んで軽く切り取ることができる。このため、開封時に予めミシン目に沿って爪を立てて破断し易くする手間が省ける。又、ミシン目５ａに沿って手早く切り取っても開封片４の端部４ａが途中で千切れたり、切取線５から逸脱して引き裂かれるといった事態を抑えることが可能となる。
【００３３】
図５は、開封片４を切り取って箱本体１を開封した状態を示す斜視図であり、図６は箱本体１の使用状態を示す斜視図である。図５のように、開封片４の開封により現れた取出口３には、前記フィルムシート７が貼着されており、その真ん中を通ってスリット孔７ａが長さ方向に位置し、両端部はフィルムシート７の端部近傍まで延びている。
【００３４】
図６のように、ティッシュペーパー２は取出口３におけるフィルムシート７のスリット孔７ａから引き出されるが、取出口３の間隔は中央部領域では広幅であり、端部領域では狭幅であるため、ティッシュペーパー２の引き出し時にフィルムシート７を介してティッシュペーパー２に加わる摩擦抵抗に差が生じることが考えられる。取出口３の中央部領域と端部領域とで間隔の差が大きすぎると、摩擦抵抗の差が大きくなってティッシュペーパー２の引き出し時に破れが生じる虞がある。このため、取出口３の中央部領域の間隔と端部領域の間隔との数値を種々変えて、ティッシュペーパー２の引き出し実験を行った。
【００３５】
このティッシュペーパー２の引き出し実験は、図５に示すように取出口３の中央部領域での間隔の最大値Ｍと、端部領域での間隔の最小値Ｎとの数値を変えて、箱本体１内に重層状態で収納されている２００組のティッシュペーパー２を次々と連続的に引き出すことで行った。当該引き出し実験に用いた箱本体は、外形寸法においては同一のものであり、長さは２４０ｍｍ、幅は１１５ｍｍ、高さは５３ｍｍであり、取出口３の長さはほぼ２４０ｍｍである。尚、凹部６の罫線６ａ、６ｂの半径はそれぞれ３９ｍｍである。
【００３６】
前記最小値Ｎは１０ｍｍ未満であると間隔が狭すぎて、ティッシュペーパー２を引き出す際に破れが生じ易くなり、３０ｍｍを超えると間隔が広すぎて、前記開封片４を開封する際に端部４ａに掛かる力が分散して容易に開封することが難しくなる。このため、最小値Ｎは１０〜３０ｍｍの範囲に設定し、最大値Ｍは１５〜７０ｍｍの範囲で適宜選択することにより設定し、最大値Ｍと最小値Ｎとの比（Ｍ／Ｎ）をとって相互の関係を示す指標とした。
【００３７】
ティッシュペーパー２の引き出し実験の結果を下記表１〜表３に示す。
【００３８】
【表１】
2008195412.tif 000003
【００３９】
【表２】
2008195412.tif 000004
【００４０】
【表３】
2008195412.tif 000005
【００４１】
上記表１〜表３によると、最小値Ｎが１０ｍｍの場合には、最大値Ｍが４０ｍｍの場合に破れが生じた。ここで、「取出時の破れ」欄における「有」とは、引き出し実験において連続的にティッシュペーパー２を引き出している最中に１回でも破れが生じたことを意味している。又、「無」とは引き出し時に１回も破れが生じることなく、全てのティッシュペーパー２を引き出すことができたことを意味している。
【００４２】
又、最小値Ｎが１５ｍｍの場合には、最大値Ｍが５０ｍｍ及び６０ｍｍの場合に破れが生じた。そして、最小値Ｎが２０ｍｍの場合には、最大値Ｍが６０ｍｍ及び７０ｍｍの場合に破れが生じ、最小値Ｎが３０ｍｍの場合は、最大値Ｍが７０ｍｍであっても破れは生じなかった。
【００４３】
上記のティッシュペーパー引き出し実験結果によると、取出口３の間隔の最大値Ｍと最小値Ｎとの比（Ｍ／Ｎ）が１．３〜２．７の範囲内であると、破れが生じることなくティッシュペーパー２を全部引き出すことができ、且つ次に引き出すべきティッシュペーパー２を安定良く保持できることが分った。取出口３は、前記開封片４を切り取って開封した時に現れるのであるから、取出口３の形態は開封片４の形態に合致している。従って、開封片４の間隔の最大値Ｍと最小値Ｎとの比（Ｍ／Ｎ）が１．３〜２．７の範囲内にあれば良いことになる。
【００４４】
本発明では、取出口３の長さ寸法が従来のものよりも大きくなるが、箱本体１の中央部領域に最大の間隔が位置し、この中央部領域を挟んで端部領域に最小の間隔がそれぞれ位置するように形成したので、ティッシュペーパー２をフィルムシート７のスリット孔７ａの両端部で確実に支持する二点支持の構造となり、ティッシュペーパー２の引き出しを順次円滑に行えると共に、次に使用すべきティッシュペーパーの保持も確実に行うことができる。
【産業上の利用可能性】
【００４５】
本発明は、ティッシュペーパー収納箱に対して有効に適用することが可能であり、開封時において、誰でも簡単に開封片を切り取って取出口をきれいに開封できるようにしたティッシュペーパー収納箱を提供することができる。
【図面の簡単な説明】
【００４６】
【図１】本発明に係るティッシュペーパー収納箱の実施形態を示す開封前の斜視図である。
【図２】本発明に係るティッシュペーパー収納箱の実施形態を示す組立前の展開平面図である。
【図３】図２におけるＰ部の拡大図である。
【図４】図１におけるＱ−Ｑ線概略断面図である。
【図５】本発明に係るティッシュペーパー収納箱の実施形態を示す開封後の斜視図である。
【図６】本発明に係るティッシュペーパー収納箱の実施形態における使用状態を示す斜視図である。
【図７】従来のティッシュペーパー収納箱の一例を示すもので、（ａ）は開封前の斜視図であり、（ｂ）は開封後の斜視図である。
【符号の説明】
【００４７】
１  箱本体
２  ティッシュペーパー
３  取出口
４  開封片
４ａ  端部
５  切取線
５ａ、５ｂ  ミシン目
６  凹部
６ａ、６ｂ  罫線
７  フィルムシート
７ａ  スリット孔
【図１】
2008195412.tif 000006
【図２】
2008195412.tif 000007
【図３】
2008195412.tif 000008
【図４】
2008195412.tif 000009
【図５】
2008195412.tif 000010
【図６】
2008195412.tif 000011
【図７】
2008195412.tif 000012